(57)【特許請求の範囲】
【請求項１】
光ディスクの外周側へ向かうにしたがって、段階的に書込み時の線速度を速くして書込み可能としたゾーンＣＬＶ方式により制御されている光ディスク記録再生装置において、
レーザを照射するレーザダイオードと、
書込み時の線速度を上昇させる際に、レーザダイオードのレーザパワーを予め設定された補正値分だけ上昇させるように制御するレーザ制御手段と、
前記補正値を予め記憶している記憶手段とを具備し、
前記補正値は、線速度を上昇させた後の線速度の大きさ、装着された光ディスクの種類、およびＯＰＣ動作時の温度状態に基づいて低温、普通、高温の３段階に区分した温度状態の組み合わせによりそれぞれ予め設定された値がデータテーブルとして前記記憶手段に記憶され、
前記レーザ制御手段は、
光ディスクを装着した際に、光ディスクのＡＴＩＰ情報を読み出すことで、装着されている光ディスクの種類を特定し、
ＯＰＣ動作において、レーザパワーを変化させながら反射光の波形の上下対称性βを測定し、レーザパワーの変化量に対する上下対称性βの変化量ｋを算出し、該上下対称性βの変化量ｋと予め記憶されていてｘ＜ｙの関係を有する２つの所定の値ｘ，ｙとを比較することによって、ｋ＞ｙの場合には温度状態が低温、ｘ＜ｋ＜ｙの場合には温度状態が普通、ｋ＜ｘの場合には温度状態が高温であると判断し、
線速度を上昇させた後の線速度の大きさ、装着した際に特定された光ディスクの種類、およびＯＰＣ動作時に判断された温度状態の全てに適合する補正値を前記記憶手段から読み出し、読み出した補正値分だけレーザダイオードのレーザパワーを上昇させるように制御することを特徴とする光ディスク記録再生装置。
【発明の詳細な説明】
【０００１】
【発明の属する技術分野】
本発明は、ＣＤ−ＲやＣＤ−ＲＷ等の光ディスクにデータを記録することができる光ディスク記録再生装置に関する。
【０００２】
【従来の技術】
光ディスクにデータを記録するための光ディスク記録再生装置として、ＣＤ−Ｒ（Conpact Disc-Recordable）装置やＣＤ−ＲＷ（Conpact Disc-Rewritable）装置が知られている。
【０００３】
光ディスクへデータを書込む際には、書込んだピットの密度が一定となるように書込みの線速度を一定に保つ、いわゆるＣＬＶ（Constant Liner Velocity）方式により光ディスクの回転が制御され、書込みが行なわれてきた。ＣＬＶ方式は、線速度を一定に保つため、光ディスクの内周側を書込む際には回転速度が速くなり、光ディスクの外周側に向かうにしたがって回転速度は遅くなる。
一方、近年の光ディスク記録再生装置においては、従来以上の速度でデータを光ディスクに書込むようにすることが望まれているが、ＣＬＶ方式で単に速度の上昇だけを行なうと光ディスクの内周側の回転速度が速くなりすぎてしまい、内周側においては確実なデータの書込みが行なわれないという問題があった。
【０００４】
そこで、光ディスクの内周側の回転速度は上げずに光ディスク全体の書込み時間を短縮し、全体として書込み速度を上げるべく、ゾーンＣＬＶという制御方式により制御される光ディスク記録再生装置が開発されている。
ゾーンＣＬＶ方式は、光ディスクの内周側においては低速の線速度一定で書込みを行なうので、内周側の回転速度は従来と同じであり、光ディスクの外周側に移行するにしたがって、段階的に線速度を上げていき回転速度を速くして、光ディスク全体として書込み速度を上げようとする方式である。
【０００５】
ゾーンＣＬＶ方式による書込みの一例を図７に示す。
この例では、光ディスク１０の内周側では１６倍速で書込み、所定時間経過後に外周へ移行すると２０倍速で書込み、さらに所定時間経過後に外周に移行すると２４倍速で書込みを行なうという方式である。
このようにゾーンＣＬＶ方式を採用することによって、光ディスク１０の内周側は従来の回転速度で回転するので内周側で書込みエラーを生じさせず、且つ全体として書込み速度を上げることができた。
【０００６】
なお、光ディスク記録再生装置は、光ディスクへデータを書込む際に光ディスクの記録面の最内周に位置するＰＣＡエリア（図７の符号９参照）においてデータ書込みの試験（いわゆるＯＰＣ（Optimum Power Control））を行ない、書込み時のレーザ光のパワーを適正な値となるように設定している。
以下、光ディスク記録再生装置におけるレーザ光のパワー設定について説明する。
光ディスク記録再生装置は、まず光ディスクからＡＴＩＰを読み出す。ＡＴＩＰは光ディスクを製造するメーカにおいて光ディスクの情報を記録しておくところである。
光ディスク記録再生装置は、この光ディスクの情報に基づいて、予め設定してあるデータテーブルから最適レーザパワー値を読み出し、読み出した最適レーザパワー値を中心として、レーザ光のパワーを徐々に上げていきながら試し書きを行なう。試し書きしたデータは読み出され、読み出した光強度の波形の上下対照性（アシンメトリ：以下、上下対照性βとする場合もある）を確認する。上下対照性の確認により、最も上下対照性の良い時点でのレーザパワーが、その光ディスクの最適なレーザパワー値であるとして設定される。
【０００７】
【発明が解決しようとする課題】
上述したように、光ディスク記録再生装置においては、光ディスクの最内周のＰＣＡエリアにおいて、レーザパワーの最適値を設定するためにＯＰＣが行なわれていた。
しかし、ゾーンＣＬＶ方式を採用した光ディスク記録再生装置においては、光ディスクの外周側では線速度を上げているので、最初にＰＣＡエリアで設定したレーザ光の出力値では、最適なパワー値であるとはいえなくなってしまうというという課題がある。
つまり、図７に示した例では、ＯＰＣのときは１６倍速でレーザパワー値を設定していたが、書込みが光ディスク外周側に至った場合には、線速度が２０倍速や２４倍速になり、最適なレーザパワー値は、１６倍速で設定した場合とは違ってきて、線速度が速いほど大きなパワーが必要になってくるのである。
【０００８】
かかる場合に、最適なレーザパワーから外れてしまっても、書込みができなくなるほどではないので、レーザパワーをそのまま変えずに書込みを続けることは可能ではある。
しかし、最適なレーザパワーで書込んでいるわけではないので、書込んだデータ読み出す時にデータが読めないなど、書込んだデータの品質や信頼性が低下するというおそれがある。
【０００９】
そこで、本発明は上記課題を解決すべくなされ、その目的とするところは、ゾーンＣＬＶ方式で光ディスクにデータを書込む場合に、レーザパワーを最適化させることができる光ディスク記録再生装置を提供することにある。
【００１０】
【課題を解決するための手段】
すなわち、本発明にかかる光ディスク記録再生装置によれば、光ディスクの外周側へ向かうにしたがって、段階的に書込み時の線速度を速くして書込み可能としたゾーンＣＬＶ方式により制御されている光ディスク記録再生装置において、レーザを照射するレーザダイオードと、書込み時の線速度を上昇させる際に、レーザダイオードのレーザパワーを予め設定された補正値分だけ上昇させるように制御するレーザ制御手段と、前記補正値を予め記憶している記憶手段とを具備し、前記補正値は、線速度を上昇させた後の線速度の大きさ、装着された光ディスクの種類、およびＯＰＣ動作時の温度状態に基づいて低温、普通、高温の３段階に区分した温度状態の組み合わせによりそれぞれ予め設定された値がデータテーブルとして前記記憶手段に記憶され、前記レーザ制御手段は、光ディスクを装着した際に、光ディスクのＡＴＩＰ情報を読み出すことで、装着されている光ディスクの種類を特定し、ＯＰＣ動作において、レーザパワーを変化させながら反射光の波形の上下対称性βを測定し、レーザパワーの変化量に対する上下対称性βの変化量ｋを算出し、該上下対称性βの変化量ｋと予め記憶されていてｘ＜ｙの関係を有する２つの所定の値ｘ，ｙとを比較することによって、ｋ＞ｙの場合には温度状態が低温、ｘ＜ｋ＜ｙの場合には温度状態が普通、ｋ＜ｘの場合には温度状態が高温であると判断し、線速度を上昇させた後の線速度の大きさ、装着した際に特定された光ディスクの種類、およびＯＰＣ動作時に判断された温度状態の全てに適合する補正値を前記記憶手段から読み出し、読み出した補正値分だけレーザダイオードのレーザパワーを上昇させるように制御することを特徴としている。
【００１１】
この構成を採用することによる作用は以下の通りである。
すなわち、ゾーンＣＬＶ制御により書込み時の線速度が変更される都度レーザパワーを変更するので、従来よりも書込まれたデータの品質および信頼性を高めることができる。
また、光ディスクには、様々なメーカや様々な種類があるにもかかわらず、それぞれに適したレーザパワーに変更することが可能であるので、より高品質および信頼性の高いデータの提供ができる。
さらに、レーザダイオードに印加する電圧値が一定でも温度状態によって出力値が異なるというレーザダイオードの特性を考慮し、温度状態に合わせて補正値の大きさを選択可能とし、温度が異なっていても常にレーザパワーを適正な値に維持できる。このため、さらに高品質および信頼性の高いデータを提供することができる。
【００１２】
【発明の実施の形態】
以下、本発明の好適な実施の形態を添付図面に基づいて詳細に説明する。
まず、図１に光ディスク記録再生装置（以下、単に光ディスク装置という場合がある）の第１の実施形態の説明図を示し、動作原理を説明する。
図１は横軸に１枚の光ディスクにデータを書込む際の書込み時間をとり、縦軸にデータ書込み時のレーザパワーをとったグラフを示している。
従来の技術でも説明したように、ゾーンＣＬＶ方式によって光ディスクにデータを書込む場合、段階的に線速度を上げるようにしている。
本実施形態では、まず最初に１６倍速でデータを書込むようにしている。このときのレーザパワーはＰ１である。Ｐ１はデータを書込む前に、ＯＰＣにより決定された値である。
【００１３】
データ書込み開始から時間ｔ１経過後、線速度が２０倍速に切り替わる。このとき、レーザパワーも２０倍速に合わせたパワーに切換えられる。このときのレーザパワーはＰ２であるとする。レーザパワーの切換えは、予め設定された補正値αをＰ１に加えた値にするようにして行なわれる。
【００１４】
さらに、データ書込み開始から時間ｔ２経過後、線速度が２４倍速に切り替わる。このとき、レーザパワーも２４倍速に合わせたパワーに切換えられる。このときのレーザパワーはＰ３であるとする。レーザパワーの切換えは、予め設定された補正値γをＰ２に加えた値にするようにして行なわれる。
【００１５】
当該光ディスク装置は上記のように動作するので、線速度が段階的に速くなってもレーザパワーもそれに合わせて段階的に上昇させ、適正なレーザパワー値でデータ書込みが行なえるのである。
【００１６】
次に、図２に光ディスク装置の内部構造についてのブロック図を示し、これに基づいて本実施形態の装置の構成について説明する。
光ディスク装置３０は、光ディスクの一例としてのＣＤ−ＲまたはＣＤ−ＲＷにデータを書込み可能な装置である。
【００１７】
光ディスク装置３０は、光ディスク１０に照射するレーザ光を発振するレーザダイオード１２（以下、単にＬＤという場合もある）と、該ＬＤ１２を駆動する駆動電流をＬＤ１２へ供給するレーザドライバー１４と、レーザドライバー１４を電圧制御するＡＰＣ（Auto Power Contorol）回路１６とを備えている。
ＬＤ１２は、光ピックアップ１１内に内蔵され、光ピックアップ１１と共に光ディスク１０の内周側から外周側に移動して光ディスク１０にデータを書込む。ＬＤ１２は、レーザドライバー１４に接続されており、レーザドライバー１４による電流制御によってそのレーザパワーが制御される。
レーザドライバー１４には、ＡＰＣ回路１６が接続されている。このＡＰＣ回路１６が、レーザドライバー１４に印加される電圧を調整し、設定されたレーザパワー値において変動が生じないように、一定のレーザパワーが出力されるようにしている。
【００１８】
光ディスク１０から反射する光は、図示しない検出器を介して反射信号としてＲＦアンプ１８に入力され増幅される。
ＲＦアンプ１８に入力した光ディスク１０からの反射信号は、サーボプロセッサ２０に入力される。サーボプロセッサ２０は、反射信号に基づいてスピンドルモータ２２の回転、光ピックアップ（図示せず）のフォーカスおよびトラッキング等のサーボ制御を行なう。
【００１９】
ＣＰＵ２４は、ＲＦアンプ１８からの反射信号を受け、ＡＰＣ回路１６を制御する。ここで、以下に説明するようなＣＰＵ２４の動作は、制御プログラムに基づいて行なわれるものであり、このような制御プログラムはファームウェアとして予め図示しないメモリ内に記憶されている。
ＣＰＵ２４には、ＲＯＭ等からなる記憶手段２６が接続されている。記憶手段２６内にはデータテーブルＡが構築されている。
ＣＰＵ２４はデータテーブルＡに記憶されているデータを読み出し、このデータに基づいてＯＰＣ時のレーザパワーの設定、および線速度が変更されるときのレーザパワーの変更を行なうことができる。
なお、本実施形態では、レーザドライバー１４とＡＰＣ回路１６とＣＰＵ２４がレーザ制御手段２８を構成している。
【００２０】
データテーブルＡの内容を説明する。
このデータテーブルＡの内容は、当該光ディスク装置３０の出荷前に予め設定されているものである。データテーブルＡには、光ディスクの種類に対応して、最初にＯＰＣを行なった時のレーザパワーの最適な値Ｐ０（Ａ社〜各社）が記憶されている。Ｐ０は、ＯＰＣを行なう際に基準とする最適なレーザパワー値であり、実際にこのＰ０という値で書込みが開始されるわけではない。ＯＰＣの動作については従来の技術で説明したのでここでは説明を省略するが、ＯＰＣではＰ０を基準として書込み試験を行ない、実際に書込む際御レーザパワーＰ１を算出する。
なお、ここでＰ０の値は、各メーカ毎に異なる物だけを図示しているが、メーカが同じであっても光ディスクの種類によってはＰ０の値が異なるものも当然ある。しかし、図２では各メーカだけを図示しており、メーカが同じでも種類が異なり、Ｐ０の値が異なる場合については省略している。
【００２１】
データテーブルＡには、ゾーンＣＬＶの動作によって線速度が変更になった際に、レーザパワーＰ１に上乗せする補正値αが各光ディスクの種類に対応して予め設定されている。レーザパワーＰ１に補正値αを上乗せした値がＰ２（図１参照）である。
また、さらにレーザパワーＰ２から、さらに上乗せする補正値がγである。
補正値γをレーザパワーＰ２に上乗せした値がＰ３（図１参照）である。
かかる補正値α、補正値γについては当該光ディスク装置の出荷前に予め設定してデータテーブルＡに記録してあるものとする。
これら補正値α、補正値γも各メーカ毎に異なる値だけを図示しているが、メーカが同じであっても光ディスクの種類によっては補正値が異なる物が当然ある。しかし上記Ｐ０と同様に、それについてはここでは図示していない。
【００２２】
上述したデータテーブルＡの内容に基づき、光ディスク装置２０がどのように制御されるかを図３のフローチャートに基づいて説明する。
まず、ステップＳ１００において、データを書込むべく光ディスク１０が装着されると、光ピックアップ１１は、光ディスクのメーカー側で予め光ディスクに書込んであるＡＴＩＰを読み出す。
ＡＴＩＰを読み出したＣＰＵ２４は、データテーブルＡ内に記録してある装着された光ディスクの種類に対応する適正レーザパワー値Ｐ０を読み出す。
ＣＰＵ２４は、読み出したＰ０の値に基づいてＯＰＣを実行し、最初にデータを書込むときのレーザパワー値Ｐ１を設定する。
【００２３】
次のステップＳ１０２において、ＣＰＵ２４は、設定したレーザパワー値Ｐ１でデータの書込みを開始する。
次に、ステップＳ１０４において、速度変更しない場合にはそのままのレーザパワーで書込みを続け、速度変更する場合にはステップＳ１０６へ移行する。
【００２４】
ステップＳ１０６では、ＣＰＵ２４はデータテーブルＡ内に記録してある装着された光ディスクの種類に対応する補正値を読み出す。このとき１６倍速から２０倍速へ速度変更する場合であれば補正値αを読み出し、２０倍速から２４倍速へ速度変更する場合であれば補正値γを読み出す。
なお、補正値αおよび補正値γは、光ディスクの種類によって異なるが、ＡＴＩＰを最初に読取ったときに光ディスクの種類が判明するので、これに基づいてデータテーブルＡから補正値αおよび補正値γを読み出すようにする
ＣＰＵ２４は、データテーブルＡから読み出された補正値を、速度変更前に照射していたレーザパワーの値に上乗するようにＡＰＣ回路１６を制御し、レーザパワーを変更する。
【００２５】
そして、ステップＳ１０８において、データの書込みがすべて終了したところで終了する。
【００２６】
次に、本発明の第２実施形態の動作原理について説明する。
本実施形態では、レーザパワーに上乗せする補正値の値をそのときの温度状態に合わせて設定できるようにしたところに特徴がある。
すなわち、レーザダイオードの特性として、高温になれば設定したレーザパワーよりも小さいパワーでしか出力されず、逆に低温になれば設定したレーザパワーよりも大きいパワーで出力される。
このため、ゾーンＣＬＶ制御時の線速度が変更になるときに、常に一定の補正値を上乗せしてレーザパワーを上げるのではなく、その時点（本実施形態ではＯＰＣ動作時）での温度に応じた補正値を上乗せすると、より適正なレーザパワーで書込むことができ、光ディスクへの書込みデータの品質向上を図れる。
【００２７】
なお、本実施形態では、その時の温度状態に合わせて補正値を３段階に分けてあり、低温時、普通時、高温時でそれぞれに対応する補正値を予め設定するようにしている。
ただし、温度状況による補正値の区分は３段階に限定されることはなく、もっと細かい温度状況に合わせて設定されていてもよい。さらに、補正値は温度の段階毎に区切られているのではなく、そのときの温度に合わせて設定するようにしてもよい。
【００２８】
図４では、温度変化によって補正値をどのように設定するかの説明図を示している。
図４に示しているグラフは、ＯＰＣ動作時にレーザパワーを決定するとき、最適レーザパワー値Ｐ０を中心にしてＰ０１〜Ｐ０２までレーザパワーを変化させながら、反射する光の波形の上下対照性βを測定しているものである。
従来の技術でも説明したが、書込み時のレーザパワーを設定するには、まずデータテーブルから最適レーザパワー値Ｐ０を読み出して、光ディスクのＰＣＡエリアにＰ０を中心にパワーを変化させつつ試し書きし、予めデータテーブルに記憶してあった最適な上下対照性βに一致するパワーをＰ１とし、このＰ１をレーザパワー値にして光ディスクにデータを書込むのである。
【００２９】
本実施形態では、レーザパワーを変化させたときの上下対照性βの変化量、すなわち図４の傾きを測定し、その傾きに基づいてそのときの温度状況を判断するようにしている。
つまり、低温時には通常時よりも、レーザパワーを変化させたときの上下対照性βの傾きが大きくなり、高温時には通常時よりもこの傾きが小さくなることはすでに判明している。
したがって、本実施形態においては、ＯＰＣ動作中にレーザパワーを変化させたときの上下対照性βの変化量を測定して、温度状態の計測を行なうようにしているのである。
【００３０】
ここでは図４の傾きをｋとし、レーザパワーをＰ０１〜Ｐ０２まで変化させた時に、上下対照性βがβ０１〜β０２まで変化した場合には、
ｋ＝β０２−β０１／Ｐ０２−Ｐ０１
より傾きｋを算出する。
ここでｋを所定の比較値ｘ、ｙと比較する。比較値ｘ、ｙは予め設定してメモリ等の記憶手段に記憶しておかれるものである。
ｋ＞ｙの場合には温度が低温であるとは判定し、ｘ＜ｋ＜ｙの場合には、温度は普通であるとして判定し、ｋ＜ｘの場合には温度が高温であると判定される。
【００３１】
次に第２実施形態の光ディスク装置の内部構成を示すブロック図を図５に示し、光ディスク装置の構成について説明する。
なお、上述した実施形態において説明した構成要素については同一の符号を付し、説明を省略するので、ここで説明するのは記憶手段３２内に構築されているデータテーブルＢのみである。
データテーブルＢは、当該光ディスク装置３０の出荷前に予め設定されているものである。データテーブルＢには、光ディスクの種類に対応して、最初にＯＰＣを行なった時のレーザパワーの最適な値Ｐ０（Ａ社〜各社）が記憶されている。Ｐ０は、ＯＰＣを行なう際に基準とする最適なレーザパワー値である。
【００３２】
データテーブルＢには、ゾーンＣＬＶの動作によって線速度が変更になった際に、レーザパワーＰ１に上乗せする補正値αが各光ディスクの種類に対応して予め設定されている。
また、補正値αは温度によってα１〜α３まで３段階に設けられている。つまり、ＯＰＣ動作中にレーザパワーを変化させたときの上下対照性βの変化量を測定して判定された温度状態によって、α１〜α３までのいずれかの補正値を採用するのである。
レーザパワーＰ１に補正値α１ｏｒα２ｏｒα３を上乗せした値がＰ２（図１参照）である。
【００３３】
また、さらにレーザパワーＰ２から、さらに上乗せする補正値がγである。
補正値γについても、温度によってγ１〜γ３まで３段階に設けられている。つまり、ＯＰＣ動作中にレーザパワーを変化させたときの上下対照性βの変化量を測定して判定された温度状態によって、γ１〜γ３までのいずれかの補正値を採用するのである。
かかる補正値α、補正値γについては当該光ディスク装置の出荷前に予め設定してデータテーブルＢに記録してあるものとする。
【００３４】
続いて、上述したデータテーブルＢの内容に基づき、第２実施形態の光ディスク装置２０がどのように制御されるかを図６のフローチャートに基づいて説明する。
まず、ステップＳ２００において、データを書込むべく光ディスク１０が装着されると、光ピックアップ１１は、光ディスクのメーカー側で予め光ディスクに書込んであるＡＴＩＰを読み出す。
ＡＴＩＰを読み出したＣＰＵ２４は、データテーブルＢ内に記録してある装着された光ディスクの種類に対応する適正レーザパワー値Ｐ０を読み出す。
ＣＰＵ２４は、読み出したＰ０の値に基づいてＯＰＣを実行し、最初にデータを書込むときのレーザパワー値Ｐ１を設定する。
【００３５】
次に、ステップＳ２０２において、ＣＰＵ２４はレーザパワーを変化させたときの上下対照性βの変化量（傾き）ｋを算出する。
ＣＰＵ２４はｋと、予め決められた判定値ｘ、ｙとに基づいて現在の温度を判断する。ここで、ｘ＜ｙの場合、ｋ＞ｙであれば温度が低温であるとは判定し、ｘ＜ｋ＜ｙであれば温度は普通であるとして判定し、ｋ＜ｘの場合には温度が高温であると判定される。
続いてのステップＳ２０４においては、ＣＰＵ２４は、設定したレーザパワー値Ｐ１でデータの書込みを開始する。
次に、ステップＳ２０６において、速度変更しない場合にはそのままのレーザパワーで書込みを続け、速度変更する場合にはステップＳ２０８へ移行する。
【００３６】
ステップＳ２０８では、ＣＰＵ２４はデータテーブルＢ内に記録してある装着された光ディスクの種類に対応する補正値を読み出す。ステップＳ２０２で判断した温度に基づいて、１６倍速から２０倍速へ速度変更する場合であれば補正値α１〜α３のいずれかが選択され、２０倍速から２４倍速へ速度変更する場合であれば補正値γ１〜γ３のいずれかが選択される。
ＣＰＵ２４は、データテーブルＢから読み出された補正値を、速度変更前に照射していたレーザパワーの値に上乗するようにＡＰＣ回路１６を制御し、レーザパワーを変更する。
【００３７】
そして、ステップＳ２１０において、データの書込みがすべて終了したところで終了する。
【００３８】
以上本発明につき好適な実施例を挙げて種々説明したが、本発明はこの実施例に限定されるものではなく、発明の精神を逸脱しない範囲内で多くの改変を施し得るのはもちろんである。
【００３９】
【発明の効果】
本発明に係る光ディスク記録再生装置によれば、段階的に書込み時の線速度が変更される際に、書込み用のレーザパワーを予め設定された補正値分だけ上昇させるように制御しており、このとき光ディスクの様々なメーカや様々な種類に適し、且つ温度状態を的確に判断してその温度状態に適合した補正値分だけ上昇させることができるので、従来よりも書込まれたデータの品質および信頼性を高めることができる。
【図面の簡単な説明】
【図１】本発明に係る光ディスク記録再生装置の動作を説明する説明図である。
【図２】本発明に係る光ディスク記録再生装置の第１実施形態の構成を説明するためのブロック図である。
【図３】本発明に係る光ディスク記録再生装置のレーザパワー制御方法について説明するフローチャートである。
【図４】本発明に係る光ディスク記録再生装置の第２実施形態において、温度状況を判断する際の説明図である。
【図５】本発明に係る光ディスク記録再生装置の第２実施形態の構成を説明するためのブロック図である。
【図６】本発明に係る光ディスク記録再生装置の第２実施形態の動作を説明するためのフローチャートである。
【図７】ゾーンＣＬＶ方式を説明する説明図である。
【符号の説明】
９  ＰＣＡエリア
１０  光ディスク
１１  光ピックアップ
１２  レーザダイオード
１４  レーザドライバー
１６  ＡＰＣ回路
１８  ＲＦアンプ
２０  サーボプロセッサ
２２  スピンドルモータ
２４  ＣＰＵ
２６，３２  記憶手段
２８  レーザ制御手段
３０  光ディスク記録再生装置
【図１】
0003574430.tif 000002
【図２】
0003574430.tif 000003
【図３】
0003574430.tif 000004
【図４】
0003574430.tif 000005
【図５】
0003574430.tif 000006
【図６】
0003574430.tif 000007
【図７】
0003574430.tif 000008